(57)【要約】【課題】  内部に商品を陳列するケース本体と、冷凍装置を内部に設置した基台ボックスとをもった冷凍・冷蔵ショーケースにおいて、冷凍装置の空冷用の外気に吸い込まれる熱交換後の熱風の量を減少させ、冷却効果の向上をはかる。【解決手段】  基台ボックス５内に冷凍装置４を横向きに設置し、コンデンサ４１の外気吸い込み側に沿って前後方向の吸気ダクト６を基台ボックス５内に設置し、コンデンサファンの回転駆動により、吸気ダクト６の後端開口部６１より外気を吸入してコンデンサ４１を冷却した後、高圧側より基台ボックス５の後面の片側寄りの部分から外部へ排出する構成とした。このように外気を後面の一側寄りから吸い込み、熱交換後の熱風を後面の他側寄りから後方へ排出することで吸気ダクト６の後端開口部６１に入り込む熱風の量は、吸気ダクトを設けないものに比し大幅に減少し、冷却効果の向上をはかることができる。【選択図】  図１
2005172254.tif 000002
【特許請求の範囲】
【請求項１】
内部に商品を陳列するケース本体と、少なくともコンデンサ及びコンデンサファンをもった冷凍装置を内部に設置した基台ボックスとをもった冷凍・冷蔵ショーケースであって、上記コンデンサファンの回転駆動により吸い込んだ外気でコンデンサを流通する冷媒を空冷するようになっているものにおいて、上記コンデンサの外気吸入側に沿って吸気ダクトを基台ボックス内に設け、コンデンサファンの回転駆動により該吸気ダクトの外気吸い込み口から外気を吸入し、コンデンサ部での熱交換後の熱風を冷凍装置の高圧側から基台ボックスの後方へ排出するよう構成したことを特徴とする冷凍・冷蔵ショーケースにおける冷凍装置の空冷構造。
【請求項２】
請求項１に記載の冷凍・冷蔵ショーケースにおける冷凍装置の空冷構造において、吸気ダクトの外気吸い込み口は、基台ボックスの一側寄り位置の後部または前部に開口するよう構成され、熱交換後の熱風は、基台ボックスの他側寄りの位置の後部に向けて排出されるよう構成されていることを特徴とする冷凍・冷蔵ショーケースにおける冷凍装置の空冷構造。
【請求項３】
内部に商品を陳列するケース本体と、少なくともコンデンサ及びコンデンサファンをそれぞれもった複数台の冷凍装置を内部に並べて設置した基台ボックスとをもった冷凍・冷蔵ショーケースであって、上記それぞれのコンデンサファンの回転駆動により吸い込んだ外気で各コンデンサを流通する冷媒をそれぞれ空冷するようになっているものにおいて、上記それぞれのコンデンサの外気吸入側に沿う複数の吸気ダクトを基台ボックス内に設け、各コンデンサファンの回転駆動により該複数の吸気ダクトの外気吸い込み口から外気を吸入し、それぞれのコンデンサ部での熱交換後の熱風を各冷凍装置の高圧側から基台ボックスの後方へ排出するよう構成したことを特徴とする冷凍・冷蔵ショーケースにおける冷凍装置の空冷構造。
【請求項４】
請求項３に記載の冷凍・冷蔵ショーケースにおける冷凍装置の空冷構造において、各吸気ダクトの外気吸い込み口は基台ボックスの前部に開口し、熱交換後の熱風は基台ボックスの後部に向けて排出されるよう構成されていることを特徴とする冷凍・冷蔵ショーケースにおける冷凍装置の空冷構造。
【請求項５】
請求項３に記載の冷凍・冷蔵ショーケースにおける冷凍装置の空冷構造において、各吸気ダクトの外気吸い込み口は、基台ボックスの一方の側面の内側に沿って基台ボックス後部に開口し、熱交換後の熱風は基台ボックスの他の側面方向の後部に向けて排出されるよう構成されていることを特徴とする冷凍・冷蔵ショーケースにおける冷凍装置の空冷構造。
【発明の詳細な説明】
【技術分野】
【０００１】
本発明は、冷凍・冷蔵ショーケースにおいて、内蔵されている冷凍装置の空冷構造に関するものである。
【背景技術】
【０００２】
冷凍食品を内蔵陳列する冷凍ショーケース或は冷蔵食品を内蔵陳列する冷蔵ショーケースは、外部からよく見えるように少なくとも前面がガラス等の透明材で構成され内部に商品陳列用の棚や照明装置等を装備したケース本体と、該ケース本体の下部に形成される冷却用ダクトと、更にその下部に設けられる基台ボックスとから構成されるのが一般的である。
【０００３】
冷凍・冷蔵ショーケースに内蔵される冷凍装置は、従来より周知のように、冷媒のコンプレッサ，コンデンサ，コンデンサファン及びエバポレータ，エバポレータファン等の冷凍サイクル構成部品とこれらを駆動する駆動装置等により構成される。
【０００４】
そして、上記エバポレータとエバポレータファンとからなる冷却ユニットは上記ケース本体下部の冷却用ダクト内に設置され、エバポレータファンの回転駆動により、ダクト前端の空気吸入口よりケース本体内の空気を吸入してそれをエバポレータにて冷却した後、ダクト後端の冷気吹出口よりケース本体内に吐出し、該冷気吹出口より吐出した冷気がケース本体内を循環しては前記空気吸入口より冷却ダクト内に吸い込まれるようになっており、このようなケース本体内空気の強制循環によりケース本体内を所定の温度（冷凍又は冷蔵温度）に保つようになっている。
【０００５】
上記冷却ユニット以外の冷凍サイクル構成部品と駆動装置は、上記基台ボックス内に設置され、駆動装置の駆動によりコンプレッサが駆動して冷媒が循環し、コンデンサファンの回転駆動にて冷媒はコンデンサを流通する間に外気にて空冷される。
【０００６】
冷凍・冷蔵ショーケースにおいては、その近くを多くのお客が歩いたり或は立ち止まって陳列商品を眺めたり買ったりするので、上記コンデンサファンによる空冷機構の熱風が基台ボックスの前面部に吹き出すことは絶対に避けなければならず、また左右両側部からの熱風の吹き出しもできるだけ避ける必要があり、従来は基台ボックスの前面と左右両側面は閉じた面に構成し、コンデンサファンの外気吸入も熱風吹き出しも基台ボックスの後面から行なうようにしているのが一般的である。即ち、コンデンサを横向きに設置し、コンデンサファンの回転により基台ボックス後面の一側寄りの部分から外気を吸い込み、熱交換後の熱風を基台ボックス後面の他側寄りの部分から外部に排出するよう構成するのが一般的である。
【０００７】
このような従来構成では、吸入用ダクトや排出用ダクトを設けていないので、排出した熱風の一部が吸入側にまわり込み、吸入外気の温度が上がり、冷凍サイクルの機能の低下を招くという課題を有している。
【０００８】
コンデンサを前後方向に向けて設置し、コンデンサファンの回転によって基台ボックスの前面から外気を吸入し、熱交換後の熱風を後方へ向けて排出するようにしたものも従来からある。このものは自分が吐き出した熱風を再び吸い込まないようにするという点ではある程度効果があるが、基台ボックス内に複数台の冷凍装置を並べて設置した場合は、ある冷凍装置のコンデンサファンの吐き出した熱風を他の冷凍装置のコンデンサファンが吸い込んでしまうのを完全に防ぐことができない、という課題を有している。また、このものでも基台ボックスの下面は密閉されてはいないから、熱風の一部がボックスの下面と床面との隙間を通って前面にまわり込み、吸入外気に混入してしまうといった課題を有している。
【特許文献１】特開２００３−２４０４１８号
【発明の開示】
【発明が解決しようとする課題】
【０００９】
本発明は、冷凍・冷蔵ショーケースの基台ボックス内に設置された冷凍装置のコンデンサファンの吸入外気が熱交換後の排出された熱風の影響を受ける、という従来の課題を解決しようとするものである。
【００１０】
また、特に基台ボックス内に複数の冷凍装置を設置した場合、あるコンデンサファンが排出した熱風を他のコンデンサファンが吸入することがないようにするものである。
【課題を解決するための手段】
【００１１】
本発明は、上記のような冷凍・冷蔵ショーケースにおいて、コンデンサの外気吸い込み側に沿って吸気ダクトを基台ボックス内に設け、コンデンサファンの回転駆動により、該吸気ダクトの外気吸い込み口から外気を吸入し、コンデンサ部での熱交換後の熱風を冷凍装置の高圧側から基台ボックスの後方へ排出するよう構成したことを最も主要な特徴とするものである。
【発明の効果】
【００１２】
本発明は、上記のように構成したことにより、コンデンサの空冷用の外気の吸い込み口を、排出される熱風の最も入りにくい位置に選択限定することができ、基台ボックス内に２台又は３台以上の複数の冷凍装置を並べて設置しても空冷用の各外気吸い込み口から吸い込まれる熱風の量を最小限に低減することができ、冷却効果の向上をはかることができる。
【００１３】
更に、空冷用の外気吸入経路が吸気ダクトにより限定されるので、基台ボックス内に冷凍装置関連機器とは無関係な物入れスペースが確保でき、非常に便利である。
【００１４】
また、上記のように基台ボックス内に複数の冷凍装置を並べて設置することが可能となるので、例えば基台ボックスの高さが足りなくて大型の冷凍装置を入れることができないような場合でも、２台の冷凍装置に別けて入れることにより充分目的を達成できる。
【発明を実施するための最良の形態】
【００１５】
本発明は、コンデンサの空冷用外気の吸い込み側に沿って吸気ダクトを設け、該吸気ダクトの外気吸い込み口を例えば基台ボックスの一側寄りの後部または前部に開口するよう構成し、コンデンサ部での熱交換後の熱風が例えば基台ボックスの他側寄りの後部に向けて排出される構成とすることにより、外気吸い込み口より吸い込む熱風の量を減少させることができ、冷却効果を向上させることができた。
【実施例１】
【００１６】
図１は、本発明の第１の実施例を示すもので、１は上面，前面，左右両側面及び後面よりなるケース本体で、少なくとも前面は透明な前面ガラスで構成されている。ケース本体１の後面は陳列商品の出し入れを行い得るよう開閉可能に構成される。ケース本体１内には必要に応じて商品陳列棚が取付けられ、該商品陳列棚上に冷凍又は冷蔵食品等の商品が陳列されるようになっている。ケース本体１の床板も商品陳列用として利用される。また、ケース本体１内には陳列された商品の照明装置が適宜設けられる。
【００１７】
上記ケース本体１の床板の下部は、冷凍装置のエバポレータ３２とエバポレータファン３１とからなる冷却ユニット３を内蔵設置した冷却ダクト２となっており、該冷却ダクト２の下部はコンプレッサやコンデンサ，コンデンサファン及びこれらの冷凍サイクルを駆動する駆動装置とからなる冷凍装置４を内蔵設置した基台ボックス５となっている。
【００１８】
上記冷却ユニット３は、エバポレータファン３１の回転駆動により、上記床板前端部の空気吸入口２１からケース本体１内の空気を冷却ダクト２内に吸入し、エバポレータ３２を通過し冷却された空気（冷気）を床板後端部近傍の冷気吹出口２２よりケース本体１内に吐出し、該冷気がケース本体１内を循環しては空気吸入口２１より吸い込まれるようになっており、このような空気の強制循環によってケース本体１内部を所定の温度（冷凍又は冷蔵温度）に保つようになっていることは、従来の冷凍・冷蔵ショーケースと同じである。
【００１９】
上記コンプレッサやコンデンサ，コンデンサファン等よりなる冷凍装置４の詳しい構成及びその作動等は、従来より冷蔵庫や冷凍・冷蔵ショーケース等において周知となっているものであるから、図示及び詳しい説明は省略するが、本実施例では冷凍装置４は基台ボックス５内に横向きに設置され、コンデンサ４１の外気吸い込み側に沿って前後方向に向き後方へ開口する吸気ダクト６を基台ボックス５内に設置し、コンデンサファンの回転駆動により、該吸気ダクト６の後端開口部６１より外気を吸入してコンデンサ４１を冷却した後、高圧側より基台ボックス５の後面の片側寄りの部分から外部へ排出する構成としたものである。
【００２０】
この実施例では、基台ボックス５の前後左右の四面は、前面５１と左右両側面５２，５３は閉じた面とし、後面５４のみ開いた面としている。また、基台ボックス５の下面は適当に隙間があって密閉されていない。
【００２１】
このように外気を後面の一側寄りの位置から吸い込み、熱交換後の熱風を後面の他側寄りの位置から後方へ排出するものであるが、他側寄りの後面から基台ボックス５の後部をまわって或は基台ボックスの下面の下側をまわって吸気ダクト６の後端開口部６１に入り込む熱風の量は、吸気ダクトを設けない従来のものに比し、大幅に少なくなり、コンデンサ４１部での放熱効果の向上をはかることができる。尚、図１の実施例では吸気ダクト６だけを設けた例を示しているが、吸気ダクト６に加え、冷凍装置４の高圧側に沿って熱風の排出ダクトを前後方向に設け、熱風がこの排出ダクトを通って後面の他側寄りの後方へ排出するようにしても良い。
【００２２】
上記の実施例では、前後方向に向けて配設した吸気ダクト６の前端部６２を閉じて後端開口部６１を外気吸い込み口とした例を示しているが、吸気ダクト６の後端開口部６１を閉塞し、吸気ダクト６の前端部６２を基台ボックス５の前面５１の外に開口させ、この前端部６２を外気の吸い込み口としてもよく、このようにすればコンデンサファンの回転駆動により、基台ボックス５の前側の一側寄り位置から外気を吸入し、基台ボックス５の他側寄りの後側に熱風を排出することになり、吸気ダクト６から入り込む熱風の量は上記実施例の場合より更に少なくなり、非常に効果的である。この場合も、排出ダクトを設けて熱風を排出ダクトを通って後面の他側寄りの後方へ排出するようにしても良い。
【実施例２】
【００２３】
図２は、本発明の第２の実施例を示すもので、この例では冷凍・冷蔵ショーケースの基台ボックス５内に冷凍装置４を複数台（２台の例を示しているがそれに限らない）横向きに並べて内蔵設置したものであって、一方の冷凍装置４ａのコンデンサ４１ａの外気吸い込み側に沿って一方の吸気ダクト６ａを前後方向に向けて設置すると共に、他方の冷凍装置４ｂのコンデンサ４１ｂの外気吸い込み側に沿って他方の吸気ダクト６ｂを前後方向に向けて設置し、吸気ダクト６ａ，６ｂの後端部６１ａ，６１ｂは閉塞して前端部６２ａ，６２ｂを基台ボックス５の前面５１の外に開口させ、この前端部６２ａ，６２ｂを外気の吸い込み口とし、それぞれのコンデンサファンの回転駆動により、吸気ダクト６ａ，６ｂの前端部６２ａ，６２ｂから前側の外気を吸入し、熱交換後の熱風が各冷凍装置４ａ，４ｂの高圧側から基台ボックス５の後面５４の後方へ排出される構成としたものである。
【００２４】
このように構成したことによって、一方の冷凍装置から排出された熱気をその冷凍装置が吸い込むことが殆どないばかりか、他の冷凍装置から排出された熱気を吸い込むことも殆どなく、基台ボックス内に冷凍装置を２台或は３台以上並べて設置して大容量の冷凍・冷蔵ショーケースを構成することが可能となり、非常に効率の良い冷凍・冷蔵機能をもたらすことができるものである。この図２の実施例のものにおいて、冷凍装置４ａ，４ｂのそれぞれの熱風の排出ダクトを設けて熱風が各排出ダクトを通って排出されるようにしても良い。
【００２５】
尚、基台ボックス５以外のケース本体及びその下部の冷却ダクト等の構成は前記実施例１のものと同じであるから、図示及び説明を省略する。
【実施例３】
【００２６】
図３は、本発明の第３の実施例を示すもので、前記実施例２の場合と同様に、基台ボックス５内に複数台（２台の例を示しているがそれに限らない）の冷凍装置４ａ，４ｂを横向きに並べて内蔵設置したものである。この例では、複数の冷凍装置の吸気ダクト６ａ，６ｂの外気吸い込み側を基台ボックス５の一方の側面５２の内側に沿って並設し、その後端開口部６１ａ，６１ｂをそれぞれの外気吸い込み口とし、一方の冷凍装置４ａは一方の前後方向の吸気ダクト６ａより直接外気を吸入するが、他方の冷凍装置４ｂの吸気ダクト６ｂは、一方の側面５２に沿う前後方向ダクト部から前面５１の内側に沿う横向きダクト部に向きを変え且つその側端から他方の冷凍装置４ｂの外気吸い込み側に至る前後方向のダクト部に連なる構成となっており、このように平面視でほぼコ字状をなす吸気ダクト６ｂを通って他方の冷凍装置４ｂに外気が吸入される。そして、各コンデンサ４１ａ，４１ｂでの熱交換後の熱風は、各冷凍装置４ａ，４ｂの高圧側からそれぞれ後面５４より後方へ排出される。
【００２７】
この例のものは、基台ボックス５の後側から外気を吸入して熱交換後の熱風を後側に排出するが、吸気ダクト６ａ，６ｂによる外気の吸い込みはすべて一方の側面５２に沿う位置で行われ、熱風の排出は他方の側面５３に向けて大きく離れた位置で行われるので、吸気ダクト６ａ，６ｂの外気吸い込み口から吸い込まれる熱風の量は非常に少量であり、効率の良い熱交換を行うことができる。また、この実施例のものにおいて、冷凍装置４ａ，４ｂのそれぞれの熱風の排出ダクトを設けて熱風が各排出ダクトを通って外気吸い込み口からできるだけ離れた位置に排出されるようにしても良い。
【００２８】
尚、基台ボックス５以外のケース本体及びその下部の冷却ダクト等の構成は前記実施例１のものと同じであるから、図示及び説明を省略する。
【図面の簡単な説明】
【００２９】
【図１】本発明の第１の実施例を示すもので、（Ａ）は冷凍・冷蔵ショーケースの一例を示す縦断側面図、（Ｂ）は基台ボックス部の概略を示す横断平面図、（Ｃ）は基台ボックス内部の概略を示す正面図である。
【図２】本発明の第２の実施例を示すもので、（Ａ）は冷凍・冷蔵ショーケースの基台ボックス部の概略を示す横断平面図、（Ｂ）は基台ボックス内部の概略を示す正面図である。
【図３】本発明の第３の実施例を示すもので、（Ａ）は冷凍・冷蔵ショーケースの基台ボックス部の概略を示す横断平面図、（Ｂ）は基台ボックス内部の概略を示す正面図である。
【符号の説明】
【００３０】
１      ケース本体
２      冷却ダクト
３      冷却ユニット
４      冷凍装置
４ａ    冷凍装置
４ｂ    冷凍装置
５      基台ボックス
６      吸気ダクト
６ａ    吸気ダクト
６ｂ    吸気ダクト
４１    コンデンサ
４１ａ  コンデンサ
４１ｂ  コンデンサ
【図１】
2005172254.tif 000003
【図２】
2005172254.tif 000004
【図３】
2005172254.tif 000005